(57)【特許請求の範囲】
【請求項１】
底部を有し上面を開口した四角柱状の袋本体と、この袋本体の一対の対向する側面に対角線状に交差して設けた交差ロッドと、この交差ロッドの交差部分を保持するロッド保持体と、上記交差ロッドを設けた側面とは異なる側の一対の側面の上端縁付近に設けた横ロッドと、前記袋本体の四隅の辺に設けた縦ロッドとからなり、上記交差ロッドは上記対向する側面の表面に、上記横ロッドは上記側面の上端縁の内側に、また、上記縦ロッドは上記袋本体の縦辺の外側に、それぞれ設け、これらのロッドにより各側面を平面状に維持して前記袋本体を自立させることを特徴とする自立式穀粒収納袋。
【請求項２】
底部を有し上面を開口した四角柱状の袋本体と、この袋本体の一対の対向する側面に対角線状に交差して設けた交差ロッドと、２枚の布片の四隅を開放して互いに袋状に縫合してなり、上記交差ロッドを交差して挿通してその交差部分を中空状態で保持するロッド保持体と、上記交差ロッドを設けた側面とは異なる側の一対の側面の上端縁付近に設けた横ロッドと、前記袋本体の四隅の辺に設けた縦ロッドとからなり、これらのロッドにより各側面を平面状に維持して前記袋本体を自立させることを特徴とする自立式穀粒収納袋。
【請求項３】
上記袋本体は、その各辺が同じ長さの立方体形状である請求項１または請求項２記載の自立式穀粒収納袋。
【請求項４】
上記各ロッドは、袋本体の各隅部に縫着した袋状の保持部にその端部を挿入して保持するようにした請求項１から請求項３のいずれか１項記載の自立式穀粒収納袋。
【請求項５】
上記各ロッドは、袋本体の各側辺から若干内側に設けた請求項１から請求項４のいずれか１項記載の自立式穀粒収納袋。
【請求項６】
袋本体の底部に排出筒を設けた請求項１から請求項５のいずれか１項記載の自立式穀粒収納袋。
【請求項７】
袋本体の上面開口部に開閉可能な上蓋を設けた請求項１から請求項６のいずれか１項記載の自立式穀粒収納袋。
【請求項８】
上記上蓋は、一側辺を上記開口部の一辺に沿って縫着すると共に、他辺の縁部は略Ｕ字状の曲線で構成した上蓋片と、上記開口部の上記上蓋片を縫着していない他の三辺の上端縁に沿って縫着し、上記上蓋片の曲線形状と対応する形状の縁部を有する所定幅のマチ布片とからなり、上記上蓋片とマチ布片は互いの縁部をファスナーで開閉自在に接続してファスナーの走行軌跡が曲線状となる請求項７記載の自立式穀粒収納袋。
【請求項９】
上記ファスナーの両端部において、上記上蓋片とマチ布片を所定の長さだけ共に縫い合わせた縫合部を構成した請求項８記載の自立式穀粒収納袋。
【請求項１０】
上記ファスナーは、互いに対向して走行する一対のランナーからなる請求項８または請求項９記載の自立式穀粒収納袋。
【請求項１１】
袋本体の上端縁に懸吊帯を取付けた請求項１から請求項１０のいずれか１項記載の自立式穀粒収納袋。
【発明の詳細な説明】
【技術分野】
【０００１】
この発明は、主にコンバインによって刈り取られた生籾等をそのまま収納するための自立式の穀粒収納袋に関するものである。
【背景技術】
【０００２】
従来、生籾等をそのまま収納するための自立式の穀粒収納袋としては、一例として、特許文献１の第６図に開示されているような円筒状の胴部を有する収納袋が広く知られている。この収納袋は、円筒状の袋本体胴部２０の外側に少なくとも３カ所以上の保持部２１を設け、その保持部に支柱となるロッド２２を挿通して使用する構成となっている。そして、不使用時には、ロッドを外して、袋本体を折り畳んで保管している。
【０００３】
しかし、この種の穀粒収納袋は、高さがあり、使用の度毎にロッドを脱着すると、かなりの手間を要するものであった。そのため、当該図６の矢印で示されているように、上縁２３と下縁２４とを逆方向に平行に回して、支柱が袋本体の中心を軸として傾くようにして袋の高さを低くしているのが現状である。そのため、当該方法では完全にコンパクト化することは困難であり、短期間の不使用時にはともかく、長期にわたる保管の場合には好ましいとは言えないものであった。
【０００４】
そのため、本出願人は、特許文献１の図１に示すような、袋本体が角柱状に自立するような収納袋を提案している。即ち、自立式穀粒収納袋において、底部と、横断面が正２ｎ角形の側面で構成された袋本体と、前記側面のうち、少なくとも向かい合う一組の側面に対角線状に設けたロッドと、そのロッドの交差部分の保持部とからなり、さらに、前記ロッドによって角柱状に自立するようにした。
【先行技術文献】
【特許文献】
【０００５】
【特許文献１】特開２００１−８８８４５号公報
【発明の概要】
【発明が解決しようとする課題】
【０００６】
このような構成の穀粒収納袋の場合、袋を折り畳む場合には、同文献の図２に示しているように、袋本体の各側辺７に沿って、袋は重ねるように折り畳まれ、最終的には一の側面上に全てが重なるように折り畳まれる。これによれば、袋本体の側辺７を折目として、かつ、ロッドを外さなくても折り畳みが可能であり、好都合であった。
【０００７】
しかしながら、このように折り畳むと、交差するロッドが４段に重なることになるので、なお嵩高となり、完全にコンパクト化することは困難であった。そのため、更なる改良が望まれていた。
【０００８】
また、この穀類収納袋の場合、ロッドの交差部分の保持部は、袋本体の胴部が穀粒の収納に伴って膨出したとき、ロッドが袋本体から離れて湾曲するのを防ぐために設けたものであるが、この保持部は袋本体の側面に縫着して設けていたので、袋の胴部の変形によって該縫着部分が破綻し、その機能を失うおそれがあった。
【０００９】
さらに、袋の上蓋をファスナーによって開閉可能なものにする場合、ファスナーを袋本体の開口部の上縁に沿って角型に設けていると、袋本体の胴部が穀粒の収納に伴って膨出するので、開口部が変形してファスナーを閉めるのが困難になるという問題もある。
【００１０】
本願発明は、このような課題を解決することを目的としたものであり、この種の穀粒収納袋において、支柱を付けたままの状態で、コンパクトに折り畳むことが可能であり、かつ、穀粒を収納するに十分な自立が可能で、その排出も迅速に行えるようにした穀粒収納袋について開示するものである。
【００１１】
さらに、穀粒の収納に伴って袋本体が膨出した場合にも、上蓋のファスナーを確実に開閉することが出来る構造を備えた穀粒収納袋を開示するものである。
【課題を解決するための手段】
【００１２】
本発明は、上記目的を達成するために、自立式穀粒収納袋において、底部を有し上面を開口した四角柱状の袋本体と、この袋本体の一対の対向する側面に対角線状に交差して設けた交差ロッドと、この交差ロッドの交差部分を保持するロッド保持体と、上記交差ロッドを設けた側面とは異なる側の一対の側面の上端縁付近に設けた横ロッドと、前記袋本体の四隅の辺に設けた縦ロッドとからなり、これらのロッドにより各側面を平面状に維持して前記袋本体を自立させるという手段を採用した。
【００１３】
かかる構成により、袋の側面形状は平面状に維持され、かつ、袋本体を横倒しにして交差ロッドを設けた一方の側面を水平に回転させながら押し下げるようにすれば、側面同士が重なって、コンパクトに折り畳むことが可能となる。
【００１４】
このとき、上記交差ロッドは上記対向する側面の表面に、上記横ロッドは上記側面の上端縁の内側に、また、上記縦ロッドは上記袋本体の縦辺の外側に、それぞれ設けた。
【００１５】
当該場所に設けることにより、穀粒と干渉することがなく残留しないので好ましい。
【００１６】
そして、上記袋本体は、その各辺が同じ長さの立方体形状とする手段を採用した。
【００１７】
これにより、９０°回転した一方の側面が他方の側面に正確に重なるので、折り畳み形状をよりコンパクトにすることができる。
【００１８】
また、上記ロッド保持体は、２枚の布片の四隅を開放して互いに袋状に縫合し、上記交差ロッドを交差して挿通してその交差部分を中空状態で保持するようにした。
【００１９】
これにより、交差ロッドの交差部分が互いに遊離しないで側面形状を平面状に維持できるので、穀粒の収納時の側面の膨出を規制することができる。
【００２０】
また、上記各ロッドは、袋本体の各隅部に縫着した袋状の保持部にその端部を挿入して保持するようにした。
【００２１】
これにより、各ロッドを遊嵌して保持でき、穀粒の収納によって収納袋が膨出する場合に対応できる。
【００２２】
また、上記各ロッドは、袋本体の各側辺から若干内側に設けた。
【００２３】
これは、折り畳み時に、各ロッドが折り畳み部分と干渉しないようにして、スムーズに折り畳むことができるようにするものである。
【００２４】
さらに、袋本体の底部に排出筒を設けるという手段、袋本体の上面開口部に開閉可能な上蓋を設けるという手段、袋本体の上端縁に懸吊帯を取付けるという手段を採用した。
【００２５】
これらにより、穀粒収納袋としての利便性を向上させるものである。
【００２６】
そして、特に上蓋に関しては、一側辺を上記開口部の一辺に沿って縫着すると共に、他辺の縁部は略Ｕ字状の曲線で構成した上蓋片と、上記開口部の上記上蓋片を縫着していない他の三辺の上端縁に沿って縫着し、上記上蓋片の曲線形状と対応する形状の縁部を有する所定幅のマチ布片とからなり、上記上蓋片とマチ布片は互いの縁部をファスナーで開閉自在に接続してファスナーの走行軌跡が曲線状となるという手段を採用した。
【００２７】
これは、穀粒を収納して袋本体の胴部が膨出しようとする場合であっても、マチ布片が水平方向の引っ張り力に対して強いので開口部の形状が変形しにくくなり、容易にファスナーを開閉することが出来るようになるものである。なお、ここで略Ｕ字状の曲線とは、厳密にＵ字状を言うのではなく、開口部の三辺に縫着したマチ布片が所定の幅を持って拡がることにより、上述した水平方向の引っ張り力に抗して開口部の形状を変更しにくくするような曲線形状をいうものとする。
【００２８】
また、上記ファスナーの両端部において、上記上蓋片とマチ布片を所定の長さだけ共に縫い合わせた縫合部を構成するという手段を採用した。
【００２９】
これにより、ファスナーの両端部に過大な負荷がかかって該部が破綻することを防止できる。
【００３０】
また、上記ファスナーは、互いに対向して走行する一対のランナーからなるものとした。
【００３１】
これにより、ファスナーの開閉動作がよりスムーズとなり利便性に富むものである。
【発明の効果】
【００３２】
本発明に係る自立式穀粒収納袋は、ロッドを、四角柱状の袋本体の縦方向四隅の側辺と、袋本体の一方の一対の対向する側面には交差して、さらに、他方の一対の対向する側面の上端縁に、それぞれ設けるようにしたので、各側面が平面形状を維持して四角柱状に自立できる。そのため、コンバイン等を利用した穀粒の収納に便利であり、穀粒を収納した状態でも、トラックの荷台に積み込む際や、倉庫などで保管する場合に、従来の円筒状のものと比較して多数個を積み上げることができる。
【００３３】
そして、交差ロッドを設けた側面を上下面として、上面を９０°回転させることで、互いに重なってコンパクトに折り畳むことが可能となるので、ロッドを外すことなく折り畳むことができ、さらに、保管時や輸送時に広い場所を必要とせず、利便性に優れた発明である。特に、各辺の長さを等しくした立方体形状とする場合に、最もコンパクトに折り畳むことが可能となる。
【００３４】
また、交差ロッドは交差部分を中空状態で保持しているので、適度な余裕を維持しつつ、側面の膨出を規制することができる。
【００３５】
さらに、底部に排出筒を設けた場合には、底部周辺にロッドを設けていないので、底部を大きく開放することができ、穀粒を残すことなく迅速に排出することができる。
【００３６】
また、上蓋に関して、開口部にマチ布片を設け、これに対して曲線状の縁部を有する上蓋片をファスナーを介して開閉可能とした場合には、穀類の収納により袋本体の胴部が膨出した場合であっても、水平方向の引っ張り力に強いマチ布片の存在によって開口部の形状が変形しにくくなり、容易にファスナーを開閉することが出来るようなる。
【００３７】
さらに、ファスナーの両端部において、上記上蓋片とマチ布片を所定の長さだけ共に縫い合わせた縫合部を構成することで、ファスナーの両端部に過大な負荷がかかって該部が破綻することを防止できる。
【図面の簡単な説明】
【００３８】
【図１】本発明に係る自立式穀粒収納袋の実施形態の一例を示す斜視図である。
【図２】この自立式穀粒収納袋を折り畳む場合の過程の説明図である。
【図３】ロッドの交差部分の保持部の一例を示す斜視図である。
【図４】上蓋の一例を示す平面図である。
【発明を実施するための形態】
【００３９】
以下、本発明に係る自立式穀粒収納袋の好ましい実施形態を添付した図面に従って説明する。図１において、１は上面開口の四角柱状の袋本体で、その四方側面１ａ、１ａ・・には補強帯２、２・・を周設し、その上端開口縁にも補強帯３、３・・を周設している。なお、袋本体１の各辺の長さは、特に限定するものではないが、後述するように折り畳み時の形状を考慮すると、各辺が等しい長さ、即ち立方体に形成することが好ましい。
【００４０】
４、４は袋本体１の一方の一対の互いに対向する側面１ａの表面に対角線状に交差して設けた交差ロッドである。各交差ロッド４、４は、上記側面１ａの四隅部分に縫着した袋状の保持部５、５・・にその端部を挿入することで保持されている。６はロッド保持体で、２枚の布片の四隅を開放して互いに縫合した袋状で、交差ロッド４、４を交差して挿通し、交差ロッド４、４の交差部分を中空状態で保持するものである（図３参照）。また、７、７は上記交差ロッド４、４を交差して設けた側面１ａとは異なる他方の一対の互いに対向する側面１ａの上端縁の内側に設けた横ロッドであり、上端縁の両隅に縫着した袋状の保持部８、８にその端部を挿入することで保持している。さらに、９、９・・は上記袋状本体１の四隅の縦方向の側辺１ｂ、１ｂ・・外側に設けた縦ロッドであり、前記と同様に、上下端に縫着した袋状の保持部１０、１０にその端部を挿入して保持している。
【００４１】
つまり、本実施形態の特徴的な構成は、各ロッド４、７、９を、四角柱状の袋本体１の縦方向四隅の側辺１ｂと、袋本体１の一方の一対の対向する側面１ａには交差して、さらに、他方の一対の対向する側面１ａの上端縁に、それぞれ設けるようにしたものである。これにより、四隅側辺１ｂの縦ロッド９、９・・によって角柱を形成し、一方の側面１ａの交差する交差ロッド４、４によって角柱側面の形状を平面状に維持し、さらに、他方の側面１ａの上端縁の横ロッド７、７によって、前記側面１ａ、１ａ間の距離を一定に保持できる。そのため、各側面１ａの下端縁にロッドを設けなくても、穀粒収納袋を四角柱状に自立させることができるのである。
【００４２】
なお、１１は袋本体１の上面開口部をファスナー等で閉塞可能な上蓋である。１２、１２・・は袋本体１の上端四隅に取付けた懸吊帯であり、穀粒の収納時に、図示しないロープによって袋本体１を懸吊できるようにしたものである。また、袋本体１の底部１ｃには、例えば菊割りなどの公知の排出筒１３が形成され、収納した穀粒を効率よく排出できるようにしている。
【００４３】
また、上記ロッド保持体６は、交差ロッド４、４を交差して挿通し、交差ロッド４、４の交差部分を中空状態で保持するものであり、その形状は図示したものに限定するものではない。即ち、交差ロッド４、４が互いに遊離しないように挟持して、側面形状を平面に維持する機能を有することが肝要であり、その形状は問わない。
【００４４】
なお、上述した袋本体の上蓋１１に関しては、上記袋本体１の上面開口部が、例えばコンバインのホッパー等を挿入して生籾等の穀粒を投入できる形状であればよい。そして、投入後、該部を閉塞する手段としては、上記したファスナーを備えた上蓋で閉塞してもよく、さらに簡便には、筒状の投入口をロープ等で絞縮して閉塞するようにすることも可能であり、その構成を特に限定するものではない。
【００４５】
但し、上蓋をファスナーで閉じるようにする場合には、袋本体１の胴部が穀粒の収納に伴って膨出すると、開口部が変形してファスナーを開閉するのが困難になることがあるので、例えば図４に示すような構成の上蓋とすることが好ましい。
【００４６】
即ち、図４は、上述した上蓋１１の好ましい一例を示す平面図である。図４において、１１ａは袋本体１の上面開口部を広く閉塞する上蓋片で、一側辺を当該開口部の一辺に沿って縫着するとともに、他辺は略Ｕ字状乃至は長円弧状の曲線で構成したものである。１１ｂは上記開口部の他の三辺の上端縁に沿って縫着し、上記上蓋片１１ａの曲線形状と対応する形状の縁部を有する所定幅のマチ布片で、上記開口部の一部を閉塞するものである。上記上蓋片１１ａとマチ布片１１ｂはその互いの縁端をファスナー１１ｃによって開閉可能に接続され、両者で袋本体１の上面開口部を閉塞する。従って、ファスナー１１ｃの走行軌跡は角部のない曲線を描くようにしている。また、ファスナー１１ｃのランナーは１つでもよいが、互いに対向する２つのランナーを用いて開閉可能にするとより便利である。
【００４７】
なお、ファスナー１１ｃの両方の端部は、袋本体の角部から開始するようにすると、袋の変形により該部が破綻するおそれがある。そのため、当該両端部においては、上蓋片１１ａとマチ布片を所定の長さだけ共に縫い合わせた縫合部１１ｄを構成して、該部の補強を図ることが望ましい。
【００４８】
このような上蓋１１の構成によれば、袋本体１に生籾等の穀粒をいっぱいに投入しようとする場合に、胴部が膨出したとしても、開口部の上端縁磯って縫着したマチ布片１１ｂの広がりが水平方向の引っ張りに強く作用するので、開口部の形状が変形しにくくなり、その形を維持できるので、容易にファスナー１１ｃを閉めることが可能となる。また、ファスナー１１ｃへの負担も軽くなり、破綻しにくくなる。
【００４９】
続いて、上記構成の本発明に係る自立式穀粒収納袋の使用方法について説明する。穀粒を収納する場合は、従来のこの種収納袋と使用方法に違いはない。即ち、コンバイン等の排出筒の出口にこの収納袋を懸吊し、穀粒を収納する。この場合、袋本体１の各側面１ａは穀粒の収納に伴って膨出することになるが、側面の交差ロッド４、４によりその膨らみが規制される。また、交差ロッド４、４の交差部分を保持するロッド保持体６は、従来のように袋本体１の側面１ａに縫着せず、中空状態であるので、その縫着部分が膨らみによって破綻することがなく、適度な遊びを維持しながら側面１ａの膨らみを確実に規制することができる。
【００５０】
また、上蓋をファスナー１１ｃで閉じるようにする場合には、上述したように、曲線を描く上蓋片１１ａと、開口部の上端縁に設けるマチ布片１１ｂにより、ファスナー１１ｃを容易に閉めることが可能であり、上蓋を閉じた状態で保管できる。
【００５１】
また、穀粒の排出時には、底部１ｃの排出筒１３を開放するのであるが、この場合、各側面１ａの下端縁にはその形を規制するようなロッドを設けていないので、底部１ｃが柔軟に変形し、穀粒が底部１ｃに残留することがなく、全てを迅速に落下させて排出することができる。
【００５２】
次に、この収納袋の不使用時、即ち保管時について説明する。図２は折り畳みの経過の説明図であり、図２に示すように、収納袋を横倒しにして、交差ロッド４、４が保持された一方の側面１ａを地面と水平にする。次に、交差ロッド４、４が保持されたもう一方の側面１ａを、水平状態を保ちながら矢印方向に回転させ、かつ、徐々に下方に押し下げるようにする。これにより、横ロッド９、９は内側に折り込まれながら傾斜し、図２に示すように、側面１ａが９０°回転した状態で下の側面１ａと重なり、扁平で極めてコンパクトに折り畳むことができるのである。つまり、従来のようにロッドを外す必要がなく、装着したままで極めて小さく折り畳むことが可能である。そのため、保管時に余分な場所を必要とせず、収納、保管が容易となる。
【００５３】
なお、上記構成において、袋本体１や各ロッド４、７、９の素材は、特別なものではなく、従来使用されているものでよい。また、各ロッド４、７、９の端部の保持部５、８、１０は、袋状としてロッドの先端を挿入するようにしているが、ロッドを確実に保持できるものであれば、これに限定されず、他の技術を採用することもある。さらに、各ロッドを装着したまま袋を折り畳むことができるので、必ずしもロッドを着脱自在とする必要もない。また、折り畳んだときに、ロッドの端部が各側辺の先端付近で突出してしまう場合には、各保持部５、８、１０を側辺１ｂより若干内側に設けてロッドを保持するようにするとよい。
【符号の説明】
【００５４】
１    袋本体
１ａ  側面
１ｂ  側辺
１ｃ  底部
２    補強帯
３    補強帯
４    交差ロッド
５    保持部
６    ロッド保持体
７    横ロッド
８    保持部
９    縦ロッド
１０    保持部
１１    上蓋
１１ａ  上蓋片
１１ｂ  マチ布片
１１ｃ  ファスナー
１１ｄ  縫合部
１２    懸吊帯
１３    排出筒
【図１】
0005947651.tif 000002
【図２】
0005947651.tif 000003
【図３】
0005947651.tif 000004
【図４】
0005947651.tif 000005